(57)【要約】【課題】送受話器を使用者の肩部に確実に掛止して落下を防止することができ、また、握力の弱い者が手に持った際にも滑って落下することを防止することができる電話機用補助具及び電話機を提供することを目的とする。【解決手段】本発明の電話機用補助具１は、送受話器１０の送話部１３及び受話部１４が配設された面の反対側の筐体面１１に沿って湾曲して取り付けられる取付部２と、取付部２の頂部を中心として筐体面に接触する取付面の反対側に立設され送受話器１０の送話部１３側へ傾斜又は湾曲した舌片状の掛止部５と、を備えた構成を有している。本発明の電話機は、電話機用補助具１が電話機の送受話器１０を使用者の頭部と肩部で挟持した際に送受話器１０の筐体面１１の肩部に接触する位置に脱着自在に又は一体的に取り付けられた構成を有している。【選択図】  図２
2004297311.tif 000002
【特許請求の範囲】
【請求項１】
送話部と受話部とを有する電話機の送受話器に取り付けられる電話機用補助具であって、
前記送受話器の前記送話部及び前記受話部が配設された面の反対側の筐体面に沿って湾曲して取り付けられる取付部と、
前記取付部の頂部を中心として前記筐体面に接触する取付面の反対側に立設され前記送受話器の前記送話部側へ傾斜又は湾曲した舌片状の掛止部と、
を備えたことを特徴とする電話機用補助具。
【請求項２】
少なくとも前記掛止部が弾力性を有する材料により形成されていることを特徴とする請求項１に記載の電話機用補助具。
【請求項３】
前記掛止部の先端部に、所定の幅を有する扁平状の脚部又は対称位置に配設された突起状の脚部を備えたことを特徴とする請求項１又は２に記載の電話機用補助具。
【請求項４】
請求項１乃至３の内いずれか１項に記載の電話機用補助具が、前記送受話器の前記筐体面の中央部から前記受話部側に脱着自在に又は一体的に取り付けられていることを特徴とする電話機。
【請求項５】
送受話器の送話部及び受話部が配設された面の反対側の筐体面の中央部から前記受話部側に一体的に取り付けられた柔軟部材を備えたことを特徴とする電話機。
【発明の詳細な説明】
【０００１】
【発明の属する技術分野】
本発明は、電話機の送受話器やコードレス電話機の子機、或いは電話機本体が送受話器となる携帯電話機等の筐体面に取り付けられる電話機用補助具、及び、送受話器や子機等の筐体面に電話機用補助具が取り付けられたコードレス電話機等の電話機、或いは携帯電話機等の電話機に関する。
【０００２】
【従来の技術】
近年、遠隔地の者と連絡を取るために家庭や仕事場等において電話機が広く用いられている。通常、電話機を使用する場合は、送受話器を片手で持って送話部と受話部を各々口と耳に当てなければならない。このとき、その通話の内容によっては、メモをとったり探し物をしたりするために両手を自由にすることが必要になることがある。このため、通常使用者は送話部と受話部を各々口と耳に当てながら送受話器の略中央部を頭部と肩部で挟持して両手を自由にしている。しかしながら、両手が自由になる一方で、使用者は送受話器を頭部と肩部で挟持しながら通話を継続するため、通話の間送受話器を落とさないように肩を上げて首を傾けるという無理な姿勢を維持しなければならず、非常に疲れたり肩や首が凝ったりするという不具合が生じていた。
【０００３】
このような不具合を解消するために、特許文献１には電話機の送受話器に用いられる肩当てスベリ止めが開示されている。この肩当てスベリ止めは、クサビ型に形成され、底面に粘着剤を塗布し、送受話器の筐体背面の中央部より受話部よりに粘着固定することで、スベリ難い材質で形成された肩当て面で肩部に引っ掛かるので送受話器が落下し難く、使用者は送受話器を比較的無理のない姿勢で挟持することができる。
【０００４】
【特許文献１】
実開昭６１−８１２４６号公報
【０００５】
【発明が解決しようとする課題】
しかしながら上記従来の技術では、以下のような課題を有していた。
【０００６】
（１）特許文献１の肩当てスベリ止めは、スベリ難い材質で形成された肩当て面により送受話器が肩部で滑り難くし落下し難くするものであり、単なるスベリ止めであるため、使用者の衣服の素材等によっては送受話器が落下し易く、また、長年の使用により肩当て面が磨耗した場合スベリ止めの効果が低下し使用性に欠けるという課題を有していた。
【０００７】
（２）特許文献１の肩当てスベリ止めは、単なるスベリ止めであり肩部に掛止するものではないため、使用者の肩に柔軟にフィットせず使い勝手が悪く使用性に欠けるという課題を有していた。
【０００８】
（３）特許文献１の肩当てスベリ止めは、底面に粘着剤を塗布し、送受話器の筐体に粘着固定しているため、取り付け取り外しを繰り返した場合、底面の粘着力が低下し取り付け不可能となり、新たに粘着剤を塗布する必要があるため煩雑であり使用性に欠けるという課題を有していた。
【０００９】
本発明は上記従来の課題を解決するもので、送受話器を使用者の肩部に確実に掛止して落下を防止することができ使用者は通話中両手を自由にすることができると共に、壁面に設けられたフック等に掛止しておくことができ置き場所が限定されず、また、握力の弱い者が手に持った際にも滑って落下することを防止することができる電話機用補助具を提供することを目的とする。
【００１０】
また、本発明は上記従来の課題を解決するもので、送受話器を使用者の肩部に確実に掛止して落下を防止することができ使用者は通話中両手を自由にすることができると共に、壁面に設けられたフック等に掛止しておくことができ置き場所が限定されず、また、握力の弱い者が手に持った際にも滑って落下することを防止することができる電話機を提供することを目的とする。
【００１１】
また、本発明は上記従来の課題を解決するもので、送受話器を頭部と肩部に挟持して通話中両手を自由にすることができ、その際使用者の肩部に柔軟にフィットして使い勝手が良く使用性に優れた電話機を提供することを目的とする。
【００１２】
【課題を解決するための手段】
上記課題を解決するために、本発明の電話機用補助具は、送話部と受話部とを有する電話機の送受話器に取り付けられる電話機用補助具であって、前記送受話器の前記送話部及び前記受話部が配設された面の反対側の筐体面に沿って湾曲して取り付けられる取付部と、前記取付部の頂部を中心として前記筐体面に接触する取付面の反対側に立設され前記送受話器の前記送話部側へ傾斜又は湾曲した舌片状の掛止部と、を備えた構成を有している。
【００１３】
この構成により、送受話器を使用者の肩部に確実に掛止して落下を防止することができ使用者は通話中両手を自由にすることができると共に、壁面に設けられたフック等に掛止しておくことができ置き場所が限定されず、また、握力の弱い者が手に持った際にも滑って落下することを防止することができる電話機用補助具を提供することができる。
【００１４】
上記課題を解決するために、本発明の電話機は、送話部と受話部とを有する電話機の送受話器に取り付けられる電話機用補助具であって、前記送受話器の前記送話部及び前記受話部が配設された面の反対側の筐体面に沿って湾曲して取り付けられる取付部と、前記取付部の頂部を中心として前記筐体面に接触する取付面の反対側に立設され前記送受話器の前記送話部側へ傾斜又は湾曲した舌片状の掛止部と、を備えた電話機用補助具が、前記送受話器の前記筐体面の中央部から前記受話部側に脱着自在に又は一体的に取り付けられている構成を有している。
【００１５】
この構成により、送受話器を使用者の肩部に確実に掛止して落下を防止することができ使用者は通話中両手を自由にすることができると共に、壁面に設けられたフック等に掛止しておくことができ置き場所が限定されず、また、握力の弱い者が手に持った際にも滑って落下することを防止することができる電話機を提供することができる。
【００１６】
上記課題を解決するために、本発明の電話機は、送受話器の送話部及び受話部が配設された面の反対側の筐体面の中央部から前記受話部側に一体的に取り付けられた柔軟部材を備えた構成を有している。
【００１７】
この構成により、送受話器を頭部と肩部に挟持して通話中両手を自由にすることができ、その際使用者の肩部に柔軟にフィットして使い勝手が良く使用性に優れた電話機を提供することができる。
【００１８】
【発明の実施の形態】
本発明の請求項１に記載の電話機用補助具は、送話部と受話部とを有する電話機の送受話器に取り付けられる電話機用補助具であって、前記送受話器の前記送話部及び前記受話部が配設された面の反対側の筐体面に沿って湾曲して取り付けられる取付部と、前記取付部の頂部を中心として前記筐体面に接触する取付面の反対側に立設され前記送受話器の前記送話部側へ傾斜又は湾曲した舌片状の掛止部と、を備えた構成を有している。
【００１９】
この構成により、以下の作用を有する。
【００２０】
（１）取付部を電話機の送受話器の筐体面に沿って取り付けることにより、電話機用補助具を送受話器に取り付けることができ、取付部に立設された掛止部が使用者の肩部に確実に掛止されるため送受話器の落下を防止することができ、使用者は通話中、頭部と肩部で送受話器を軽く挟持しながら無理な姿勢をとることなく両手を自由にすることができる。
【００２１】
（２）電話機用補助具を送受話器に取り付けることにより、送受話器を掛止部で壁面のフックや棚や机の縁等に掛止することができるので、置き場所が限定されず利便性に優れると共に、例えばコードレス電話機において、親機が壁掛け型である場合、子機である送受話器を掛止部により親機に掛止することができる。
【００２２】
（３）電話機用補助具を送受話器に取り付けることにより、老人や身障者等の握力の弱い者が手に持った際にも、掛止部が手に引っ掛かるので滑って落下することを防止することができる。
【００２３】
（４）掛止部が取付部から立設され送受話器の送話部側へ傾斜又は湾曲しているので、掛止部が使用者の肩部や壁面のフック等に確実に掛止され安定性に優れる。
【００２４】
（５）掛止部が舌片状に形成されているので、使用者の肩部にフィットし易く装着性に優れる。
【００２５】
（６）電話機用補助具を送受話器に脱着自在に取り付けるようにした場合は、必要な場合のみ電話機用補助具を送受話器に取り付けて使用することができ利便性に優れる。
【００２６】
ここで、電話機用補助具は、電話機の送受話器に脱着自在に取り付けるようにしてもよく、或いは脱着自在に取り付けてもよい。脱着自在に取り付ける場合は、取付部の両先端部の取付面側に取付用凸部を突設し、送受話器の両側部の筐体面に形成した取付用凹部に嵌合させる、或いは、螺子止め等により取り付けてもよい。また、取付部の取付面に接着剤等を塗布し送受話器の筐体面に接着固定してもよく、或いは電話機用補助具を送受話器に一体的に形成してもよい。
【００２７】
本発明の請求項２に記載の発明は、請求項１に記載の電話機用補助具であって、少なくとも前記掛止部が弾力性を有する材料により形成されている構成を有している。
【００２８】
この構成により、請求項１の作用に加え、以下の作用を有する。
【００２９】
（１）少なくとも掛止部が弾力性を有する材料により形成されているので、送受話器を頭部と肩部で挟持した際に使用者の肩部の形状等によって変形し挟持し易く安定して挟持でき、使用者の肩部に柔軟にフィットして使い勝手が良く使用性に優れる。
【００３０】
ここで、弾力性を有する材料としては、天然ゴムや合成ゴム等のゴム材等が用いられる。
【００３１】
本発明の請求項３に記載の発明は、請求項１又は２に記載の電話機用補助具であって、前記掛止部の先端部に、所定の幅を有する扁平状の脚部又は対称位置に配設された突起状の脚部を備えた構成を有している。
【００３２】
この構成により、請求項１又は２の作用に加え、以下の作用を有する。
【００３３】
（１）電話機用補助具を送受話器に取り付け、その取り付けた筐体面を下にして載置面上に載置した場合、掛止部の先端部の扁平状の脚部全体、或いは、対称位置に配設された突起状の脚部が載置面に当接するため、送受話器が幅方向に傾いたり倒れたりすることなく安定して載置面上に載置されると共に、送受話器が表示部を上にして載置されるため、表示部を視認し易く使用性に優れる。
【００３４】
ここで、掛止部の先端部の扁平状の脚部の幅、或いは対称位置に配設され突起状の脚部の離隔幅は、電話機の送受話器の幅より大きく形成されることが好ましい。これにより、送受話器は幅方向に傾いたり倒れたりすることなく安定して載置することができる。なお、脚部の幅は電話機の送受話器の幅より小さくてもよく、電話機の送受話器の幅の１／２程度であってもよい。この場合、所定の幅を有しているので載置時の安定性に優れると共に携帯性に優れる。
【００３５】
本発明の請求項４に記載の電話機は、請求項１乃至３の内いずれか１項に記載の電話機用補助具が、前記送受話器の前記筐体面の中央部から前記受話部側に脱着自在に又は一体的に取り付けられている構成を有している。
【００３６】
この構成により、以下の作用を有する。
【００３７】
（１）取付部に立設され送受話器の筐体面から突出した掛止部が使用者の肩部に確実に掛止されるため送受話器の落下を防止することができ、使用者は通話中、頭部と肩部で送受話器を軽く挟持しながら無理な姿勢をとることなく両手を自由にすることができる。
【００３８】
（２）送受話器を電話機用補助具の掛止部で壁面のフックや棚や机の縁等に掛止することができるので、置き場所が限定されず利便性に優れると共に、例えばコードレス電話機において、親機が壁掛け型である場合、子機である送受話器を掛止部により親機に掛止することができる。
【００３９】
（３）老人や身障者等の握力の弱い者が送受話器を手に持った際にも、電話機用補助具の掛止部が手に引っ掛かるので滑って落下することを防止することができる。
【００４０】
（４）電話機用補助具が、送受話器の筐体面の中央部から受話部側の位置、すなわち電話機の送受話器を使用者の頭部と肩部で挟持した際に送受話器の筐体面の肩部に接触する位置に取り付けられているので、掛止部が使用者の肩部に確実に掛止され送受話器の落下を防止することができると共に、使用者は通話中、頭部と肩部で送受話器を軽く挟持しながら無理な姿勢をとることなく両手を自由にすることができる。
【００４１】
（５）電話機用補助具を送受話器に脱着自在に取り付けるようにした場合は、必要な場合のみ電話機用補助具を送受話器に取り付けて使用することができ利便性に優れる。
【００４２】
ここで、電話機としては、一般的な送受話器を有する電話機や送受話器としてワイヤレス接続された子機を有するコードレス電話機、或いは電話機本体が送受話器となる携帯電話機等が用いられる。
【００４３】
本発明の請求項５に記載の電話機は、送受話器の送話部及び受話部が配設された面の反対側の筐体面の中央部から前記受話部側に一体的に取り付けられた柔軟部材を備えた構成を有している。
【００４４】
この構成により、以下の作用を有する。
【００４５】
（１）柔軟部材が、送受話器の筐体面の中央部から受話部側の位置、すなわち電話機の送受話器を使用者の頭部と肩部で挟持した際に送受話器の筐体面の肩部に接触する位置に取り付けられているので、送受話器を挟持した際に柔軟部材が使用者の肩部に柔軟にフィットして使い勝手が良く使用性に優れる。
【００４６】
ここで、柔軟部材の材質としてはゲル状のシリコーン、或いは天然ゴムや合成ゴム等のゴム材等が用いられる。
【００４７】
また、柔軟部材は、送受話器の筐体面に直接取り付けてもよく、或いは送受話器の筐体面の中央部から受話部側に柔軟部材と同形の窪みを設け、該窪み内部に配設してもよい。柔軟部材を窪み内部に配設した場合、柔軟部材の表面と筐体面とを略面一にすることができるので、柔軟部材が筐体面から突出せず使用性に優れると共に、外観に優れる。
【００４８】
以下に本発明の一実施の形態について説明する。
【００４９】
（実施の形態１）
図１（ａ）は本実施の形態１における電話機用補助具の斜視図であり、図１（ｂ）は本実施の形態１における電話機用補助具の平面図であり、図１（ｃ）は本実施の形態１における電話機用補助具の側面図である。
【００５０】
図中、１は本実施の形態１における電話機用補助具、２は後述の電話機の送受話器の筐体面に沿って湾曲状に形成された取付部、３は後述の電話機の送受話器の筐体面に接触する取付部２の取付面、４は取付部２の両先端部の取付面３側に突設された取付用凸部、５は取付部２の頂部に立設され後述の電話機の送受話器の送話部側へ湾曲した舌片状の掛止部、６は掛止部５の先端部に形成された所定の幅を有する扁平状の脚部である。
【００５１】
本実施の形態１の電話機用補助具１の取付部２及び掛止部５、すなわち電話機用補助具１全体は弾力性を有するゴム材により形成されている。これにより、掛止部５は使用者の肩部の形状等によって容易に変形するため、頭部と肩部で挟持し易く安定して挟持でき、また、肩部に柔軟にフィットして使い勝手が良く使用性に優れる。
【００５２】
次に、以上のように構成された本実施の形態１の電話機用補助具１が取り付けられた電話機について、以下図を用いて説明する。
【００５３】
図２（ａ）は本実施の形態１における電話機の送受話器の背面側斜視図であり、図２（ｂ）は本実施の形態１における電話機の送受話器の表面側斜視図である。
【００５４】
図中、１は電話機用補助具、２は取付部、５は掛止部、６は脚部であり、また、図２（ｂ）において、４は取付用凸部であり、これらは図１において説明したものと同様であるので同一の符号を付けて説明を省略する。図２（ａ）において、１０は本実施の形態１のおける電話機の送受話器、１１は送受話器１０の後述の送話部及び前記受話部が配設された面の反対側の面である筐体面、１２は筐体面１１の略中央部に配設された呼び出しベル用或いはハンズフリー通話用のスピーカ部である。図２（ｂ）において、１３は送受話器１０の表面側の一端部近傍に配設されたマイク等からなる送話部、１４は送受話器１０の表面側の送話部１３の反対側端部に配設されたスピーカ等からなる受話部、１５は送受話器１０の表面に配設された表示部、１６は送受話器１０の表面に複数配設され電話番号入力等の入力操作を行うプッシュボタン、１７は送受話器１０の両側部に形成され取付用凸部４が嵌合する取付用凹部である。
【００５５】
図２（ｂ）に示すように、電話機用補助具１は取付部２の両先端部の取付面３側に突設された取付用凸部４を送受話器１０の両側部に形成された取付用凹部１７に嵌合させることで送受話器１０に脱着自在に取り付けられる。電話機用補助具１は送受話器１０の筐体面１１の中央部から受話部１４側、すなわち使用者の頭部と肩部で挟持した際に肩部に接触する位置に取り付けられることが好ましい。したがって、電話機用補助具１が筐体面１１の肩部に接触する位置に取り付けられるように取付用凹部１７が位置決めされて形成されることが好ましい。なお、本実施の形態１においては、取付用凸部４と取付用凹部１７により電話機用補助具１を送受話器１０に脱着自在に取り付けているが、これに限られるものではなく、接着剤等により接着固定してもよく、螺子止め等により螺着固定してもよく、或いは電話機用補助具１を送受話器１０に一体的に形成してもよい。
【００５６】
以上のように構成された本実施の形態１における電話機について、以下その使用動作を図を用いて説明する。
【００５７】
図３は本実施の形態１における電話機を用いた通話時の送受話器挟持動作を示す動作説明図である。
【００５８】
図中、１は電話機用補助具、２は取付部、５は掛止部、１０は送受話器、１１は筐体面であり、これらは図１又は２において説明したものと同様であるので同一の符号を付けて説明を省略する。図中、Ｘは使用者、Ｙは使用者Ｘの頭部、Ｚは使用者Ｘの肩部である。
【００５９】
図３に示すように、使用者Ｘは通話時に両手を自由にしたい場合等に送受話器１０を頭部Ｙと肩部Ｚで挟持することができる。このとき、電話機用補助具１が送受話器１０の筐体面１１に取り付けられているので、電話機用補助具１の掛止部５で送受話器１０を使用者Ｘの肩部Ｚに確実に掛止して落下を防止することができ使用者Ｘは通話中両手を自由にすることができる。また、使用者Ｘが握力の弱い者であっても、手に持った際に電話機用補助具１の掛止部５が手に引っ掛かるので、送受話器１０が滑って落下することを防止することができる。
【００６０】
図４は本実施の形態１における電話機を壁面に設けられたフックに掛止した状態を示す動作説明図である。
【００６１】
図中、１は電話機用補助具、２は取付部、５は掛止部、１０は送受話器、１１は筐体面であり、これらは図１又は２において説明したものと同様であるので同一の符号を付けて説明を省略する。図中、Ａは壁面、Ｂは壁面Ａに設けられたフックである。
【００６２】
図４に示すように、電話機用補助具１の掛止部５が取付部２に立設され送受話器１０の筐体面１１から突出しているので、掛止部５をフックＢに掛止することにより、送受話器１０を壁面Ａに設けられたフックＢに掛止することができる。これにより、送受話器１０を任意の場所に掛止しておくことができ、紛失を防止することができる。なお、送受話器１０を掛止するものとしては、フックＢに限られるものではなく、机や棚の縁や親機が壁掛け型の場合に親機等に掛止することができるものであってもよい。
【００６３】
図５（ａ）は本実施の形態１における電話機を載置面に載置した状態を示す側面図であり、図５（ｂ）は本実施の形態１における電話機を載置面に載置した状態を示す正面図であり、図５（ｃ）は脚部の変形例を示す電話機の正面図である。
【００６４】
図中、１は電話機用補助具、２は取付部、５は掛止部、６は脚部、１０は送受話器、１１は筐体面、１２はスピーカ部であり、これらは図１又は２において説明したものと同様であるので同一の符号を付けて説明を省略する。図中、Ｃは送受話器１０が筐体面１１を下にして載置される載置面、Ｄはスピーカ部１２の下部に形成される空間、Ｗは掛止部５の先端部の幅である。また、図５（ｃ）において、６′の突起状の脚部である。
【００６５】
図５（ａ）に示すように、送受話器１０を筐体面１１を下にして載置面Ｃに載置した場合、電話機用補助具１が送受話器１０の背面である筐体面１１に形成されたスピーカ部１２の近傍に取り付けられているので、筐体面１１から突出した電話機用補助具１の掛止部５によりスピーカ部１２の下部に空間Ｄが形成される。空間Ｄによりスピーカ部１２が載置面Ｃに塞がれることがなく、送受話器１０のスピーカ部１２から発生する呼び出しベル用或いはハンズフリー通話用の受話音声が明瞭になり確実に聴き取ることができる。特に、載置面Ｃがベッド等の柔軟なものである場合は、従来ではスピーカ部１２が塞がれ易いが、本実施の形態１のように空間Ｄを形成することでスピーカ部１２が塞がれることなく、スピーカ部１２からの音声を確実に聴き取ることができる。
【００６６】
また、図５（ｂ）に示すように、送受話器１０を筐体面１１を下にして載置面Ｃに載置した場合、掛止部５の先端部に載置面Ｃに対して扁平状の脚部６が形成されている。また、脚部６の幅（掛止部５の先端部の幅）Ｗは、送受話器１０の幅の１／２程度に形成されている。これにより、脚部６が所定の幅を有すると共に脚部６全体が載置面Ｃに当接しているため、送受話器１０は幅方向に傾いたり倒れたりすることなく安定して載置面Ｃ上に載置されると共に、掛止部５の先端部が送受話器１０の幅より小さいため携帯し易い。
【００６７】
更に、図５（ｃ）に示すように、掛止部５の先端部に対称位置に配設された突起状の脚部６′を設けることもできる。
【００６８】
以上のように本実施の形態１の電話機用補助具１及び送受話器１０を備えた電話機は構成されているので、以下のような作用を有する。
【００６９】
（１）電話機用補助具１が、電話機の送受話器１０の筐体面１１の中央部から受話部１４側を使用者Ｘの頭部Ｙと肩部Ｚで挟持した際に、送受話器１０の筐体面１１の肩部Ｚに接触する位置に取り付けられているので、掛止部５が使用者Ｘの肩部Ｙに確実に掛止され送受話器１０の落下を防止することができると共に、使用者Ｘは通話中、頭部Ｙと肩部Ｚで送受話器１０を軽く挟持しながら無理な姿勢をとることなく両手を自由にすることができる。
【００７０】
（２）電話機用補助具１の掛止部５が弾力性を有する材料により形成されているので、使用者Ｘの肩部Ｚの形状等によって変形し挟持し易く安定して挟持でき、使用者Ｘの肩部Ｚに柔軟にフィットして使い勝手が良く使用性に優れる。
【００７１】
（３）電話機の送受話器１０を電話機用補助具１の掛止部５で壁面ＡのフックＢに掛止することができるので、置き場所が限定されず利便性に優れると共に、例えばコードレス電話機において、親機が壁掛け型である場合、子機である送受話器１０を親機に掛止することができる。
【００７２】
（４）電話機用補助具１が送受話器１０の背面である筐体面１１に形成されたスピーカ部１２の近傍に取り付けられているので、筐体面１１から突出した電話機用補助具１の掛止部５によりスピーカ部１２の下部に空間Ｄが形成され、この空間Ｄによりスピーカ部１２が載置面Ｃに塞がれることがなく、送受話器１０のスピーカ部１２から発生する呼び出しベル用或いはハンズフリー通話用の受話音声が明瞭になり確実に聴き取ることができる。
【００７３】
（５）電話機用補助具１の掛止部５の先端部に、所定の幅を有する扁平状の脚部６、或いは突起状の脚部６′が形成され、脚部６，６′が所定の幅を有すると共に脚部６，６′が載置面Ｃに当接しているので、送受話器１０が幅方向に傾いたり倒れたりすることなく安定して載置面Ｃ上に載置され、送受話器１０の表示部１５を上にして載置されるため、表示部１５を視認し易く使用性に優れる。
【００７４】
（６）電話機用補助具１の取付部２の両先端部の取付面３側に取付用凸部４が突設され、送受話器１０の両側部に取付用凹部１７が形成されているので、取付用凸部４を取付用凹部１７に嵌合させることで電話機用補助具１を送受話器１０に脱着自在に取り付けることができ、必要な場合のみ電話機用補助具１を送受話器１０に取り付けて使用することができ利便性に優れる。
【００７５】
（実施の形態２）
図６（ａ）は本実施の形態２における電話機の送受話器の背面側斜視図であり、図６（ｂ）は本実施の形態２における電話機の送受話器の表面側斜視図である。
【００７６】
図中、２０は本実施の形態２のおける電話機の送受話器、２１は送受話器２０の後述の送話部及び前記受話部が配設された面の反対側の面である筐体面、２２は筐体面２１に設けられた窪み部、２３は送受話器２０の表面側の一端部近傍に配設されたマイク等からなる送話部、２４は送受話器２０の表面側の送話部２３の反対側端部に配設されたスピーカ等からなる受話部、２５は送受話器２０の表面に配設された表示部、２６は送受話器２０の表面に複数配設され電話番号入力等の入力操作を行うプッシュボタン、２７は筐体面２１に取り付けられた柔軟部材である。柔軟部材２７は、ゲル状のシリコーン或いは天然ゴムや合成ゴム等のゴム材等により形成され、所定の弾力性を有する。また、図６に示すように、柔軟部材２７は送受話器２０の筐体面２１の中央部から受話部２４側、すなわち使用者の頭部と肩部で挟持した際に肩部に接触する位置に設けられた窪み部２２の内部に一体的に取り付けられている。これにより、柔軟部材２７の表面と筐体面２１とは略面一となっている。また、使用者が両手を自由にするために送受話器２０を頭部と肩部で挟持した場合、柔軟部材２７は使用者の肩部に接触する。
【００７７】
以上のように、本実施の形態２における電話機は構成されているので、以下のような作用を有する。
【００７８】
（１）柔軟部材２７が送受話器２０を使用者の頭部と肩部で挟持した際に肩部に接触する位置に一体的に取り付けられているので、送受話器２０を挟持した際に柔軟部材２７が使用者の肩部に柔軟にフィットして使い勝手が良く使用性に優れる。
【００７９】
（２）柔軟部材２７を筐体面２１に設けられた窪み部２２の内部に配設しているので、柔軟部材２７の表面と筐体面２１とを略面一にすることができ、柔軟部材２７が筐体面２１から突出せず使用性に優れると共に、外観に優れる。
【００８０】
【発明の効果】
以上のように本発明の電話機用補助具及び電話機によれば、以下のような有利な効果を得ることができる。
【００８１】
請求項１に記載の発明によれば、
（１）取付部を電話機の送受話器の筐体面に沿って取り付けることにより、電話機用補助具を送受話器に取り付けることができ、取付部に立設された掛止部が使用者の肩部に確実に掛止されるため送受話器の落下を防止することができ、使用者は通話中、頭部と肩部で送受話器を軽く挟持しながら無理な姿勢をとることなく両手を自由にすることができる電話機用補助具を提供することができる。
【００８２】
（２）電話機用補助具を送受話器に取り付けることにより、送受話器を掛止部で壁面のフックや棚や机の縁等に掛止することができるので、置き場所が限定されず利便性に優れると共に、例えばコードレス電話機において、親機が壁掛け型である場合、子機である送受話器を掛止部により親機に掛止することができる電話機用補助具を提供することができる。
【００８３】
（３）電話機用補助具を送受話器に取り付けることにより、老人や身障者等の握力の弱い者が手に持った際にも、掛止部が手に引っ掛かるので滑って落下することを防止することができる電話機用補助具を提供することができる。
【００８４】
（４）掛止部が取付部から立設され送受話器の送話部側へ傾斜又は湾曲しているので、掛止部が使用者の肩部や壁面のフック等に確実に掛止され安定性に優れる電話機用補助具を提供することができる。
【００８５】
（５）掛止部が舌片状に形成されているので、使用者の肩部にフィットし易く装着性に優れる電話機用補助具を提供することができる。
【００８６】
（６）電話機用補助具を送受話器に脱着自在に取り付けるようにした場合は、必要な場合のみ電話機用補助具を送受話器に取り付けて使用することができ利便性に優れる電話機用補助具を提供することができる。
【００８７】
請求項２に記載の発明によれば、請求項１の効果に加え、
（１）少なくとも掛止部が弾力性を有する材料により形成されているので、送受話器を頭部と肩部で挟持した際に使用者の肩部の形状等によって変形し挟持し易く安定して挟持でき、使用者の肩部に柔軟にフィットして使い勝手が良く使用性に優れる電話機用補助具を提供することができる。
【００８８】
請求項３に記載の発明によれば、請求項１又は２の効果に加え、
（１）電話機用補助具を送受話器に取り付け、その取り付けた筐体面を下にして載置面上に載置した場合、掛止部の先端部の扁平状の脚部全体、或いは、対称位置に配設された突起状の脚部が載置面に当接するため、送受話器が幅方向に傾いたり倒れたりすることなく安定して載置面上に載置されると共に、送受話器が表示部を上にして載置されるため、表示部を視認し易く使用性に優れる電話機用補助具を提供することができる。
【００８９】
請求項４に記載の発明によれば、
（１）取付部に立設され送受話器の筐体面から突出した掛止部が使用者の肩部に確実に掛止されるため送受話器の落下を防止することができ、使用者は通話中、頭部と肩部で送受話器を軽く挟持しながら無理な姿勢をとることなく両手を自由にすることができる電話機を提供することができる。
【００９０】
（２）送受話器を電話機用補助具の掛止部で壁面のフックや棚や机の縁等に掛止することができるので、置き場所が限定されず利便性に優れると共に、例えばコードレス電話機において、親機が壁掛け型である場合、子機である送受話器を掛止部により親機に掛止することができる電話機を提供することができる。
【００９１】
（３）老人や身障者等の握力の弱い者が送受話器を手に持った際にも、電話機用補助具の掛止部が手に引っ掛かるので滑って落下することを防止することができる電話機を提供することができる。
【００９２】
（４）電話機用補助具が、送受話器の筐体面の中央部から送話部側の位置、すなわち電話機の送受話器を使用者の頭部と肩部で挟持した際に送受話器の筐体面の肩部に接触する位置に取り付けられているので、掛止部が使用者の肩部に確実に掛止され送受話器の落下を防止することができると共に、使用者は通話中、頭部と肩部で送受話器を軽く挟持しながら無理な姿勢をとることなく両手を自由にすることができる電話機を提供することができる。
【００９３】
（５）電話機用補助具を送受話器に脱着自在に取り付けるようにした場合は、必要な場合のみ電話機用補助具を送受話器に取り付けて使用することができ利便性に優れる電話機を提供することができる。
【００９４】
請求項５に記載の発明によれば、
（１）柔軟部材が、送受話器の筐体面の中央部から送話部側の位置、すなわち電話機の送受話器を使用者の頭部と肩部で挟持した際に送受話器の筐体面の肩部に接触する位置に取り付けられているので、送受話器を挟持した際に柔軟部材が使用者の肩部に柔軟にフィットして使い勝手が良く使用性に優れる電話機を提供することができる。
【図面の簡単な説明】
【図１】（ａ）本実施の形態１における電話機用補助具の斜視図
（ｂ）本実施の形態１における電話機用補助具の平面図
（ｃ）本実施の形態１における電話機用補助具の側面図
【図２】（ａ）本実施の形態１における電話機の送受話器の背面側斜視図
（ｂ）本実施の形態１における電話機の送受話器の表面側斜視図
【図３】本実施の形態１における電話機を用いた通話時の送受話器挟持動作を示す動作説明図
【図４】本実施の形態１における電話機を壁面に設けられたフックに掛止した状態を示す動作説明図
【図５】（ａ）本実施の形態１における電話機を載置面に載置した状態を示す側面図
（ｂ）本実施の形態１における電話機を載置面に載置した状態を示す正面図
（ｃ）脚部の変形例を示す電話機の正面図
【図６】（ａ）本実施の形態２における電話機の送受話器の背面側斜視図
（ｂ）本実施の形態２における電話機の送受話器の表面側斜視図
【符号の説明】
１  電話機用補助具
２  取付部
３  取付面
４  取付用凸部
５  掛止部
６，６′  脚部
１０，２０  送受話器
１１，２１  筐体面
１２  スピーカ部
１３，２３  送話部
１４，２４  受話部
１５，２５  表示部
１６，２６  プッシュボタン
１７  取付用凹部
２２  窪み部
２７  柔軟部材
Ａ  壁面
Ｂ  フック
Ｃ  載置面
Ｄ  空間
Ｘ  使用者
Ｙ  頭部
Ｚ  肩部
【図１】
2004297311.tif 000003
【図２】
2004297311.tif 000004
【図３】
2004297311.tif 000005
【図４】
2004297311.tif 000006
【図５】
2004297311.tif 000007
【図６】
2004297311.tif 000008